(57)【要約】  少なくとも1つの不織基材及びアプリケーターを収容する化粧品容器であって、前記不織基材が捲縮繊維を含み、前記不織基材に少なくとも1種の有機サンスクリーン剤を含む少なくとも1種の化粧品組成物が含浸されている、化粧品容器。【選択図】図２
2020521605.tif 000002
【特許請求の範囲】
【請求項１】
少なくとも1つの不織基材及びアプリケーターを収容する化粧品容器であって、前記基材が捲縮繊維を含む、化粧品容器。
【請求項２】
前記不織基材に化粧品組成物が含浸されている、請求項1に記載の化粧品容器。
【請求項３】
不織基材が、ポリエチレン(PE)、ポリプロピレン(PP)、ポリメチルメタクリレート(PET)、ポリブチレン-1(PB-1)、及びこれらの混合物からなる群から選択される1種以上の繊維を含む、請求項1に記載の化粧品容器。
【請求項４】
不織基材の密度が、約0.015g/cm3から約0.06g/cm3である、請求項1に記載の化粧品容器。
【請求項５】
不織基材が、約3から約30の平均dtexを有する繊維を含む、請求項1に記載の化粧品容器。
【請求項６】
化粧品組成物が油中水(W/O)型又は水中油(O/W)型である、請求項2に記載の化粧品容器。
【請求項７】
化粧品組成物が、メークアッププライマー、メークアップベース、ファンデーション、パウダー、ツインケーキ、リップスティック、リップグロス、アイシャドウ、アイブロウ、コンシーラー又は頬紅である、請求項2に記載の化粧品容器。
【請求項８】
前記基材に、少なくとも1種の有機サンスクリーン剤を含む少なくとも1種の化粧品組成物が含浸されている、請求項1に記載の化粧品容器。
【請求項９】
前記不織基材に、化粧品組成物が含浸されている、請求項8に記載の化粧品容器。
【請求項１０】
不織基材が、ポリエチレン(PE)、ポリプロピレン(PP)、ポリメチルメタクリレート(PET)、ポリブチレン-1(PB-1)、及びこれらの混合物からなる群から選択される1種以上の繊維を含む、請求項8に記載の化粧品容器。
【請求項１１】
不織基材の密度が約0.015g/cm3から約0.06g/cm3である、請求項8に記載の化粧品容器。
【請求項１２】
不織基材が約3から約30の平均dtexを有する繊維を含む、請求項8に記載の化粧品容器。
【請求項１３】
化粧品組成物が油中水(W/O)型又は水中油(O/W)型である、請求項8に記載の化粧品容器。
【請求項１４】
化粧品組成物が、メークアッププライマー、メークアップベース、ファンデーション、パウダー、ツインケーキ、リップスティック、リップグロス、アイシャドウ、アイブロウ、コンシーラー又は頬紅である、請求項8に記載の化粧品容器。
【請求項１５】
前記サンスクリーン剤が、アボベンゾン、オクチサレート、オクトクリレン、オキシベンゾン、ホモサレート、及びこれらの混合物からなる群から選択される、請求項8に記載の化粧品容器。
【請求項１６】
前記容器が、少なくとも2層の前記不織基材及びアプリケーターを収容し、前記層の少なくとも2層が、平均密度、平均dtex、平均層厚、平均繊維表面エネルギー、平均的な繊維表面処理、繊維材料組成、繊維形態、及びこれらの組み合わせからなる群から選択される少なくとも1つの側面において、互いに異なる、請求項1に記載の化粧品容器。
【請求項１７】
前記基材が、円周リムを有し、前記リムが実質的に液体不透過性の材料によって封止されている、請求項1に記載の化粧品容器。
【請求項１８】
前記基材に化粧品組成物が含浸されている、請求項17に記載の化粧品容器。
【発明の詳細な説明】
【技術分野】
【０００１】
本発明は、不織基材と化粧品又はパーソナルケア組成物を皮膚又は毛髪に塗布するために使用され得るアプリケーターとを提供する化粧品容器に関する。
【背景技術】
【０００２】
化粧用ファンデーションは典型的に、コンパクトの中に収容される。化粧品容器は本体及び蓋、並びに本体の中に、液体化粧品組成物を保持する基材を保持するための液体化粧品用容器を含む。この目的のための典型的な基材は、従来、ポリエチレンフォーム、ポリウレタンフォーム、スポンジラバー又はスポンジフォームから形成される。これらの材料は、化粧品組成物を保持して安定な化粧品を維持するために使用される。
【０００３】
しかし、例えば、ポリエーテルポリウレタンフォームは、多くの欠点をもつ。一例において、ポリエーテルポリウレタンフォームは、比較的幅の狭い粘度プロファイルを有する化粧品組成物に限定される。希薄過ぎる製品は、フォームによって保持されず、また濃厚過ぎる製品は実際上、フォームに注入することができない。別の一例において、ある特定の配合物は、ポリエーテルポリウレタンフォーム、ニトリルブチルラバー、及び類似の材料に適合しないため、これらに注入することはできない。この欠点は、有機サンスクリーン活性物質に関連してかなり頻繁にみられる。前述の材料はまた、UV活性物質を吸収する傾向があり、使用時に十分なSPF防御を発揮しない製品となる。
【発明の概要】
【発明が解決しようとする課題】
【０００４】
前述の欠点に対処するために、合成マイクロファイバー不織繊維などの代替の材料が、化粧品用繊維の基材として採用されている。しかし、不織繊維は、ポリエーテルポリウレタンフォームと比較して、弾力性に欠けるという欠点を有しがちである。また、既知の各基材の実施は、基材周囲面における漏出による製品ロスという欠点を有しがちである。したがって、既知の不織繊維形態は、そのような基材より化粧品組成物を吸収し、保持し、且つ均一に分配する能力が劣っている。したがって、ポリエーテルポリウレタンフォームの欠点を回避し、弾力性、吸収性、及び化粧品組成物の均一な分配を維持する化粧品基材に対して、現在も継続するニーズが存在する。
【課題を解決するための手段】
【０００５】
本発明は、不織基材と化粧品又はパーソナルケア組成物を皮膚又は毛髪に塗布するために使用され得るアプリケーターとを提供する化粧品容器に関する。不織基材は好ましくは、捲縮マイクロファイバーを使用し、層化されてもよく、周囲の液体不透過性リムを含むよう改変されてもよく、またその組合せであってもよい。繊維の組成はまた、サンスクリーンなどの特定の配合物と組み合わせて使用する場合、安定性が最大化するように作られたものであってもよい。
【図面の簡単な説明】
【０００６】
【図１】2つの化粧品基材を示す写真であり、基材の一方はシリコーンの実質的に液体不透過性の周囲面を含み、もう一方の基材は液体不透過性周囲面を有しない。
【図２】実質的に液体不透過性の周囲面を含まない化粧品基材の周囲端からの化粧品液体漏出を示す写真である。
【図３】圧縮されたときの、実質的に液体不透過性の周囲端のある化粧品基材を示す写真である。
【図４】マイクロファイバー基材を含むコンパクト化粧品を収容する化粧品容器を示す一連の写真である。
【発明を実施するための形態】
【０００７】
本明細書は、本発明を特定して指し示し且つ権利を明白に主張する、特許請求の範囲によって完結するが、本発明は、以下の記述からよりよく理解されるものと考えられる。
【０００８】
別段の定めがない限り、百分率、部及び比は全て、本発明の組成物の全重量に基づく。列挙された成分に付随するそのような重量は全て、活性物質のレベルに基づき、したがって、別段の定めがない限り、市販の材料に含まれることがある溶媒又は副生成物を含まない。本明細書において、用語「重量パーセント」は、「重量%」として示されることがある。
【０００９】
本明細書で使用される分子量は全て、別段の定めがない限り、グラム/モルとして表される重量平均分子量である。
【００１０】
本明細書において、「含む(comprising)」は、最終結果に影響しない他のステップ及び他の成分が加えられ得ることを意味する。この語は、用語「からなる(consisting of)」及び「から本質的になる(consisting essentially of)」を包含する。本発明の組成物及び方法/プロセスは、本明細書に記載された発明の本質的要素及び限定のみならず、本明細書に記載された追加の又は任意選択の成分、構成要素、ステップ又は限定のいずれをも含んでもよく、それらからなることができ、また、それらから本質的になることができる。
【００１１】
本明細書で使用される用語「電荷密度」は、ポリマーを構成するモノマーユニットにおける正電荷の数と前記モノマーユニットの分子量との比をいう。ポリマーの分子量を乗じた電荷密度は、所与のポリマー鎖上の正に帯電した部位の数を決定する。
【００１２】
本明細書で使用される用語「マイクロファイバー」は、約50未満のデシテックス値を有する繊維をいう。好ましくは、マイクロファイバーは、約40未満、より好ましくは約30未満、最も好ましくは約15未満のデシテックス値を有する。マイクロファイバーはまた、約0.5超、より好ましくは約1.0超、最も好ましくは約1.5超のデシテックス値を有する。
【００１３】
本明細書で使用される用語「ポリマー」は、1種類のモノマーの重合によって作られる、又は2種類から作られる(すなわち、コポリマー)、又はそれ以上の種類のモノマーから作られる材料を含むものとする。
【００１４】
本明細書で使用される用語「固体粒子」は、液体又は気体ではない粒子を意味する。
【００１５】
本明細書で使用される用語「水溶性」は、ポリマーが本発明の組成物において水に可溶であることを意味する。一般に、ポリマーは、25℃において、水溶媒の重量の少なくとも0.1%、好ましくは少なくとも1%、より好ましくは少なくとも5%、最も好ましくは少なくとも15%の濃度で可溶であるべきである。
【００１６】
本明細書で使用される用語「水不溶性」は、化合物が本発明の組成物において水に不溶であることを意味する。したがって、化合物は水と混和しない。
【００１７】
本発明のパーソナルケア組成物は、カチオン変性デンプンポリマー、アニオン性界面活性剤系、及び化粧品に許容される媒質を含む。これらの本質的構成要素、及び好ましい又は任意選択の構成要素の各々を、以下に詳細に記載する。
【００１８】
捲縮マイクロファイバーウェブ
本発明は、捲縮マイクロファイバーのウェブ(web)を含む少なくとも1つの基材を含む。
【００１９】
本発明のウェブはまた、特に、特別な性質を提供するマイクロファイバーが、ロフト(嵩高さ)及び中程度の密度との組み合わせで存在して特別な利点をもたらす場合、他の目的にも有用である。
【００２０】
捲縮繊維、すなわち、その長手方向に連続的な波状の、カールした、又はギザギザした性質を有する捲縮繊維は、いくつかの異なる形態で入手可能である。既知の捲縮繊維の3つの代表的な種類は、鋸歯ギアにより繊維を捲縮することにより製造されるなどした全般に平面的な、規則的に捲縮した繊維;スタッフィングボックス中で製造されるなどしたランダムに捲縮した(うねりが発生する平面に関して及び捲縮の間隔及び振幅に関してランダムな)繊維;並びに、らせん状に捲縮した繊維である。3次元繊維は一般に、本発明のウェブにおいてより大きなロフト性を促進する。しかし、本発明の良好なウェブは、いかなる既知の種類の捲縮を有する繊維からでも製造することができる。
【００２１】
捲縮数、すなわち単位長さ当たりの完全な波又はサイクル（周期）の数は、かなり広範に変動し得る。一般に、1センチメートル当たりの捲縮数(試料繊維を2つのガラス板の間に置いて、3cmの距離における完全な波又はサイクルの数を数え、その数を3で割ることにより測定される)が大きくなるほど、ウェブのロフトも大きくなる。
【００２２】
捲縮繊維はまた、その捲縮の振幅及び深さにおいても様々である。捲縮の振幅は、多くの繊維のランダムな性質のために、数値で一様に特徴付けることは難しいが、振幅の指標は捲縮パーセントによって与えられる。後者の数量は、繊維の非捲縮長(試料繊維を完全に真っ直ぐに伸ばした後に測定される)と捲縮長(試料繊維の一端に、繊維の大半径の屈曲を真っ直ぐ整えるための、繊維1デシテックス当たり2ミリグラム相当の重りを付けて、吊るして測定される)との差を、捲縮長で割って100を乗じたものとして定義される。本発明において使用されるバルク化繊維は、一般に少なくとも約15%、好ましくは少なくとも約25%の平均捲縮パーセントを示す。
【００２３】
上に記載の捲縮繊維は、例えば、Fiber Innovation Technologyにより、市販されている。
【００２４】
マイクロファイバー材料
マイクロファイバーは、天然若しくは合成繊維から形成されてもよいし、又はこれらの組合せから形成されてもよい。
【００２５】
適切な合成繊維としては、例えば、ポリエステル、熱可塑性エラストマーなどを挙げることができる。特に好ましい合成繊維としては、例えば、ポリエチレン(PE)、ポリプロピレン(PP)、ポリメチルメタクリレート(PET)、ポリブチレン-1(PB-1)、及びこれらの混合物が挙げられる。
【００２６】
ポリエステルとしては、例えば、ポリエチレンテレフタレート、ポリトリメチレンテレフタレート、ポリブチレンテレフタレート、ポリ-ヘキサメチレンテレフタレート、ポリテトラメチレン、ポリ1,4-ジメチルシクロヘキサンテレフタレートが挙げられるが、そのようなポリ-ヒドロラクトンは除くが、本発明は、そのような例のみに限定されるものではない。これらのポリエステルは、それぞれ、単独で使用されてもよく、2種以上の組合せで使用されてもよい。これらの熱可塑性ポリエステルの中で、顕著な耐性があるポリエチレンテレフタレート、ポリトリメチレンテレフタレート、ポリブチレンテレフタレート及びポリ-ヘキサメチレンテレフタレートが好ましい。
【００２７】
熱可塑性エラストマーとしては、例えば、ポリエステル系エラストマー、ポリウレタン系エラストマーなどが挙げられる。これら全てにおいて、本発明の化粧品の基材の光耐性を改善するという観点から、ポリエステル系エラストマーが好ましい。
【００２８】
ポリエステルエラストマーとしては、例えば、ポリエステル、例えばポリエチレンテレフタレート系エラストマー、及びポリエステルハードセグメント、ポリ(アルキレンオキシド)グリコールポリエーテルソフトセグメントエステルブロックコポリマーなどが挙げられる。ポリエーテル-エステルブロックコポリマーは、例えば、ポリ(アルキレンオキシド)グリコール及びジカルボン酸及びジオールを反応させることにより調製可能である。
【００２９】
ジカルボン酸としては、例えば、o-フタル酸、m-フタル酸、テレフタル酸、ナフタレン-2,6-ジカルボン酸、ナフタレン-2,7-ジカルボン酸、ジフェニル- 4,4'-ジカルボン酸、酸、3-ナトリウムスルホイソフタル酸又は芳香族ジカルボン酸、1,4-シクロヘキサンジカルボン酸又は脂環式ジカルボン酸、コハク酸、シュウ酸、アジピン酸、セバシン酸、脂肪族ジカルボン酸、例えばダイマー酸などを挙げ得るが、本発明はそのような例のみに限定されるものではない。これらのジカルボン酸はまた、それぞれ単独で使用されてもよく、2種以上が組み合わされてもよい。
【００３０】
ジオールとしては、例えば、エチレングリコール、トリメチレングリコール、テトラメチレングリコール、ペンタ-メチレングリコール、ヘキサメチレングリコール、1,4-ブタンジオール、ネオペンチルグリコール、脂肪族ジオール、例えばデカ-メチレングリコール、1,1-シクロヘキサンジメタノール、1,4-シクロヘキサンジメタノール、又は脂環式ジオール、例えばトリシクロデカンジメタノールが挙げられるが、本発明はそのような例のみに限定されるものではない。これらのジオールは、それぞれ、単独で使用されてもよく、2種以上の組合せであってもよい。
【００３１】
ポリ(アルキレンオキシド)グリコールとしては、例えば、ポリエチレングリコール、ポリ(1,2-プロピレンオキシド)グリコール、ポリ(1,3-プロピレンオキシド)グリコール、ポリ(テトラメチレンオキシド)グリコール、エチレンオキシド-プロピレンオキシドコポリマー、エチレンオキシド-テトラヒドロフランコポリマーなどが挙げられるが、本発明によれば、そのような例のみに限定されるものではない。ポリ(アルキレンオキシド)グリコールは、それぞれ単独で使用されてもよく、2種以上の組合せであってもよい。一般に、約400〜5000の数平均分子量を有するポリ(アルキレンオキシド)グリコールが好ましい。
【００３２】
ポリウレタンエラストマーは、例えば、鎖延長剤の存在下での重合によって得られるポリオール及びジイソシアネートである。
【００３３】
ジイソシアネートとしては、例えば、ジフェニルメタンジイソシアネート、トリレンジイソシアネート、イソホロンジイソシアネート、水添ジフェニルメタンジイソシアネート、キシリレンジイソシアネート、例えば、ヘキサメチレンジイソシアネートなどであって、分子量が500以下であるものが挙げられるが、本発明は、そのような例のみに限定されるものではない。これらのジイソシアネートはまた、それぞれ単独で使用されてもよく、2種以上が使用されてもよい。
【００３４】
鎖延長剤としては、例えば、エチレングリコール、アミノアルコール、ビスヒドロキシエトキシベンゼン、1,4-ブタンジオールなどが挙げられるが、本発明によれば、そのような例のみに限定されるものではない。鎖延長剤はまた、それぞれ単独で使用されてもよく、2種以上が使用されてもよい。
【００３５】
マイクロファイバーは、1種以上の繊維から、例えば、繊維材料をモノ又は共押出し加工することによって、形成されてもよい。複合繊維の場合、個々の繊維は、種々の配向に従って、組み合わされてもよい。例えば、繊維は、芯鞘型複合繊維、並列型コンジュゲート繊維、島型複合繊維などとして組み合わされてもよい。これらの全てにおいて、繊維間の接触を効率よく統合するという観点から、芯鞘型複合繊維が好ましく、捲縮は、好ましくは並列型コンジュゲート繊維を、加熱することによって生成される。さらに、特定の一実施形態において、芯鞘型形態の芯繊維は、芯鞘複合繊維の径中心から実質的に偏心して、いわゆる「偏心芯鞘」形態に配向するように、押出しされる。この形態は、捲縮繊維構造の促進を助け得る。
【００３６】
芯鞘型複合繊維において、バイコンポーネント（二成分）繊維の芯成分は、好ましくは表面に露出しない。好ましくは、芯鞘型繊維の芯繊維は、芯鞘型繊維の径中心に位置する径方向コアを含む。芯鞘型複合繊維、同心芯鞘構造が形成されてもよく、偏心芯鞘様構造が形成されてもよい。芯鞘構造を有する偏心芯鞘複合繊維は、加熱及び捲縮の結果として、円筒構造に形成されてもよい。芯鞘型コンジュゲート繊維の断面形状としては、例えば、円形、三角形、正方形又は多角形、卵形、楕円形などが挙げられるが、本発明によれば、そのような例のみに限定されるものではない。これらの形体の中で、円形が好ましい。好ましくは、コンジュゲート繊維の芯成分と鞘成分との比は、約30:70〜70:30である。
【００３７】
本明細書において繊維を含む基材は、好ましくは約0.5〜15デニール、より好ましくは1〜10デニールの繊度を有する繊維を含む。
【００３８】
複合繊維の長さは、メークアップ化粧品の機械的強度の観点から、好ましくは約20〜150mmであってよい。
【００３９】
複合繊維は、抗菌剤又は他の表面処理によって処理されてもよい。
【００４０】
本明細書において基材に使用される他の適切な繊維としては、例えば、綿、麻、絹又は同種の天然繊維、レーヨンなどの再生繊維、合成繊維などを挙げ得る。化粧品用途における使用に対しては、合成繊維が好ましい。
【００４１】
合成繊維としては、例えば、ポリエチレンテレフタレート繊維、ポリブチレンテレフタレート繊維、ポリエステル繊維、例えばポリトリメチレンテレフタレート繊維、ポリビニルクロリド繊維、ポリビニリデンクロリド繊維、ポリプロピレン繊維、ポリビニルアルコール繊維、ナイロン6などのポリアミド繊維、ポリイミド繊維、ポリアミド繊維、酢酸セルロース繊維などが挙げられるが、本発明は、そのような例のみに限定されるものではない。これらの繊維は、単独で又は多種の繊維との組合せで使用されてもよい。芯鞘型バイコンポーネント繊維の場合、PP芯を伴うPET鞘を使用することが特に好ましい。
【００４２】
一実施形態において、基材は多層を含んでもよく、多層の各々は、互いに異なる特性、例えば、密度、空孔径、硬度、材料構成、表面エネルギー、表面処理、弾力性などを含んでもよい。一実施形態において、基材の表面層は、少なくとも基材のベース層（基層）よりも低い密度を有する。別の一実施形態において、表面層とベース層との間の中間層の各々の少なくとも1つの特性は、最上層からベース層に向かって、徐々に連続的に増大する。例えば、一実施形態において、最上層からベース層までの各層は、次第に高密度となる。各層の密度が最上層から最下層へと徐々に増加することは、含浸させた化粧品組成物の基材のベース層における「貯留」を防止するというベネフィットを提供すると考えられる。
【００４３】
液体不透過性リム
化粧品用途に使用する基材により提起される1つの問題は、基材の周囲面が頻回に漏出及び製品ロスにさらされることである。したがって、本発明の一実施形態は、周囲面が実質的に液体不透過性である周囲面を含む化粧品基材を含む。
【００４４】
液体不透過性は、種々の技術で達成され得る。例えば、周囲面はヒートシールされてもよく、又はシリコーンフィルムなどの液体不透過性材料によって処理されてもよい。別法として、基材は、液体が基材の周囲面から容易に排出されることがないように、周囲壁が外壁と密着するように形成されてもよい。
【００４５】
図1は、2つの実質的に同一のマイクロファイバー基材の写真である。第2の基材は、シリコーンリム(Macroplast(登録商標)BK 322)の適用によって提供される、実質的に液体不透過性のリム部を含む。第1の基材は、シリコーンリムなしに提供される。いずれの基材も、11.5gの化粧品液体で満たされる。
【００４６】
図2及び3は、各基材の端部が約30%押し下げられている状態の写真である。図2に示すように、液体不透過性リムを欠いた基材は基材側面からの製品ロスを示す。対照的に、図3は、実質的に液体不透過性のリムによって液体が保持されていることを示す。
【００４７】
本発明の基材は好ましくはマイクロファイバーウェブを含むが、他の基材、例えば、ポリウレタンポリエステル又はニトリルブチルラバー(NBR)などを、実質的に液体不透過性の周囲面を含むように処理されてもよいと考えられる。
【００４８】
化粧品組成物
本発明の化粧品容器及びマイクロファイバー基材は、多くの種類の化粧品組成物を収容するのに非常に適している。そのような組成物としては、例えば、パーソナルクレンジング組成物、メークアップ組成物、トリートメント化粧品などが挙げられ得る。特に、組成物は物理的又は化学的サンスクリーン剤を含んでもよい。
【００４９】
例示的な化学的サンスクリーン剤としては、UVA及びUVBサンスクリーン、例えば、ベンゾフェノン及びその誘導体(例えば、ベンゾフェノン-3、ジオキシベンゾン、スリソベンゾン、オクタベンゾン、ヒドロキシ-及び/又はメトキシ置換ベンゾフェノン、及びベンゾフェノンスルホン酸及びその塩);サリチル酸誘導体(例えば、サリチル酸エチレングリコール、サリチル酸トリエタノールアミン、サリチル酸オクチル、サリチル酸ホモメンチル、及びサリチル酸フェニル);ウロカニン酸及びその誘導体(例えば、ウロカニン酸エチル);p-アミノ安息香酸(PABA)及びその誘導体(例えば、そのエチル/イソブチル/グリセリルエステル、及びオクチルジメチルPABAとも称されるp-ジメチルアミノ安息香酸2-エチルヘキシル);アントラニレート及びその誘導体(例えば、o-アミノ-ベンゾエート及びアミノ安息香酸の種々のエステル);ベンズアルマロネート誘導体;ベンズイミダゾール誘導体;イミダゾリン;ビス-ベンザゾリル誘導体;ジベンゾイルメタン及びその誘導体;ベンゾアゾール/ベンゾジアゾール/ベンゾトリアゾール及びその誘導体(例えば、2-(2-ヒドロキシ-5-メチルフェニル)ベンゾトリアゾール、及び一般に「Tinosorb M」と称されるメチレンビス-ベンゾトリアゾリルテトラメチルブチルフェノール);ジフェニルメチレン若しくは9H-フルオレン置換基を含有するジエステル又はポリエステル; 2-フェニル-ベンズイミダゾール-5-スルホン酸(PBSA);4,4-ジアリールブタジエン;シンナメート及びその誘導体(例えば、2-エチルヘキシル-p-メトキシシンナメート、オクチル-p-メトキシシンナメート、ウンベリフェロン、メチルウンベリフェロン、メチルアセト-ウンベリフェロン、エスクレチン、メチルエスクレチン、及びダフネチン);カンファー及びその誘導体(例えば、3-ベンジリデンカンファー、4-メチルベンジリデンカンファー、ポリアクリルアミドメチルベンジリデンカンファー、ベンジリデンカンファースルホン酸、及び一般に「エンカムスル(Encamsule)」と称されるテレフタリリデンジカンファースルホン酸);トリアジン及びその誘導体(例えば、一般に「Tinosorb S」と称される2,4-ビス-{[4-(2-エチル-ヘキシルオキシ)-2-ヒドロキシ]-フェニル}-6-(4-メトキシフェニル)-1,3,5-トリアジン);ナフタレート及びその誘導体(例えば、ジエチルへキシル-2,6-ナフタレート);ナフトールスルホネート及びその誘導体(例えば、2-ナフトール-3,6-ジスルホン酸のナトリウム塩及び2-ナフトール-6,8-ジスルホン酸のナトリウム塩);ジベンザルアセトン及びベンザルアセトフェノン;ジフェニルブタジエン及びその誘導体;ジヒドロキシナフトエ酸及びその塩;o-及びp-ヒドロキシビフェニルジスルホネート;クマリン誘導体(例えば、その7-ヒドロキシ、7-メチル、及び3-フェニル誘導体);アゾール/ジアゾール/トリアゾール及びその誘導体(例えば、2-アセチル-3-ブロモインダゾール、フェニルベンゾオキサゾール、メチルナフトオキサゾール、及び種々のアリールベンゾトリアゾール);キニン及びその誘導体(例えば、その重硫酸塩、硫酸塩、塩化物、オレイン酸塩、及びタンニン酸塩);キノリン及びその誘導体(例えば、2-フェニルキノリン及び8-ヒドロキシキノリン塩);タンニン酸及びその誘導体(例えば、そのヘキサエチルエーテル誘導体);ハイドロキノン及びその誘導体;尿酸及びその誘導体;ビロ尿酸(vilouric acid)及びその誘導体、並びにこれらの混合物又は組合せが挙げられるが、これらに限定されるものではない。上述の一覧からのある特定の酸性サンスクリーンの塩及び他の中和された形態もまた、本明細書において有用である。これらの有機又は化学的サンスクリーン剤は、単独で又は2つ以上を組み合わせて使用されてもよい。さらに、UV光吸収能を有する他の既知の動物又は植物抽出物を、単独で又は組み合わせて、適切に使用してもよい。
【００５０】
本発明の実施に関して特に有用な有機又は化学的サンスクリーン剤は、4,4'-t-ブチルメトキシジベンゾイルメタン、2-エチルヘキシルサリシレート、3,3,5-トリメチルシクロヘキシルサリシレート、2-エチルヘキシルp-メトキシシンナメート、2-ヒドロキシ-4-メトキシベンゾフェノン、2,2-ジヒドロキシ-4-メトキシベンゾフェノン、2,4-ビス-{4-(2-エチル-ヘキシルオキシ)-2-ヒドロキシ]-フェニル}-6-(4-メトキシフェニル)-1,3,5-トリアジン、メチレンビス-ベンゾトリアゾリルテトラメチルブチルフェノール、テレフタリリデンジカンファースルホン酸、ジエチルへキシル-2,6-ナフタレート、ジガロイルトリオレエート、4-[ビス(ヒドロキシプロピル)]アミノ安息香酸エチル、p-アミノ安息香酸グリセロール、メチルアントラニレート、p-ジメチルアミノ安息香酸又はアミノベンゾエート、p-ジメチルアミノ安息香酸2-エチルへキシル、2-フェニルベンズイミダゾール-5-スルホン酸、2-(p-ジメチルアミノフェニル)-5-スルホニオベンゾオキサゾン酸、及びこれらの混合物又は組合せである。
【００５１】
有機又は化学的サンスクリーンは、本発明の局所用組成物において使用することができるが、無機サンスクリーン粒子(例えば、TiO2及び/又はZnO)とアルコキシル化ジフェニルアクリレート化合物の組合せは有害なUV-A及びUV-B放射を遮蔽する十分な光防御バリアを提供することから、有機又は化学的サンスクリーンを含む必要はない。好ましくは、本発明の局所用組成物は実質的に、いかなる有機又は化学的サンスクリーンをも含まず、より好ましくは、アボベンゾンなどのジベンゾイルメタン誘導体を含まない。
【実施例】
【００５２】
試験例1:スポンジ適合性試験
種々の材料のスポンジを、W/O及びO/Wエマルションメークアップ化粧品組成物により試験した。参照例1は、ポリエーテルPUフォームスポンジ;同2は、ポリエステルPUフォームスポンジ;同3は、NBRフォームスポンジ;同4は、不織スポンジである。すべての種類のスポンジを、φ48mm×9mmの円筒形に切断する。配合物を一定期間含浸させた後、スポンジを表1のように検査する。
【００５３】
【表１】
2020521605.tif 000003
【００５４】
表1に見られるように、比較の場合、例1及び3は、配合物中の油性物質を吸収して大きく膨潤することになり、例2は、吸収し過ぎはしないが保存期間後に加水分解することになる。
【００５５】
試験例2:配合物安定性試験
この試験における種々の材料のスポンジに、5種の異なる化学的サンスクリーンを含むO/W配合物を浸漬させた。参照例1は、ポリエーテルPUフォームスポンジ;同3は、NBRフォームスポンジ;同4は、不織スポンジである。すべての種類のスポンジを、φ48mm×9mmの円筒形に切断する。配合物を一定期間含浸させた後、各化学的サンスクリーンの含有量を試験した。同時に、スポンジを含まないガラス瓶中で保存した純粋な配合物も同様に試験した。各薬剤の減少は、以下に示す通りである:
【００５６】
【表２】
2020521605.tif 000004
【００５７】
【表３】
2020521605.tif 000005
【００５８】
試験例2に見られるように、PU及びNBRスポンジと比較して、不織スポンジは、化学的サンスクリーンを吸収せず、保存期間後も配合物を安定に保つ。
【００５９】
本明細書において開示の寸法及び値は、記述された正確な数値に厳密に限定されると理解されるべきではない。むしろ、別段の定めがない限り、そのような各寸法は、記述された値とその値の付近の機能上同等な範囲との両方を意味するよう意図されている。例えば、「40mm」として開示された寸法は、「約40mm」を意味するよう意図されている。
【００６０】
相互参照された若しくは関連するいかなる特許又は出願をも含め、本明細書において引用されたあらゆる文書は、明確な除外又は別段の限定がない限り、参照することによりその全体が本明細書に組み込まれる。いかなる文書の引用も、それが本明細書において開示又は特許請求されたいかなる発明に対しても先行技術であることを容認するものではなく、或いはそれ単独で又は他の参照文献又は複数の参照文献との何らかの組合せにおいて、いかなるそのような発明を教示し、示唆し、又は開示することをも容認するものではない。さらに、本文書における用語の何らかの意味又は定義が、参照によって組み込まれる文書における同一用語の意味又は定義と矛盾する場合、本文書においてその用語に割り当てられた意味又は定義が適用されるものとする。
【００６１】
本発明の特定の実施形態が例証され且つ記載されているが、本発明の精神及び範囲から逸脱することなく種々の他の変更及び修正が行われ得ることは、当業者には明らかであろう。したがって、添付の特許請求の範囲において、本発明の範囲内であるような変更及び修正は全てが網羅されることが意図されている。
【図１】
2020521605.tif 000006
【図２】
2020521605.tif 000007
【図３】
2020521605.tif 000008
【図４】
2020521605.tif 000009
【手続補正書】
【提出日】令和2年1月16日(2020.1.16)
【手続補正１】
【補正対象書類名】明細書
【補正対象項目名】００２５
【補正方法】変更
【補正の内容】
【００２５】
適切な合成繊維としては、例えば、ポリエステル、熱可塑性エラストマーなどを挙げることができる。特に好ましい合成繊維としては、例えば、ポリエチレン(PE)、ポリプロピレン(PP)、ポリエチレンテレフタレート(PET)、ポリブチレン-1(PB-1)、及びこれらの混合物が挙げられる。
【手続補正２】
【補正対象書類名】特許請求の範囲
【補正対象項目名】全文
【補正方法】変更
【補正の内容】
【特許請求の範囲】
【請求項１】
少なくとも1つの不織基材及びアプリケーターを収容する化粧品容器であって、前記基材が捲縮繊維を含む、化粧品容器。
【請求項２】
前記不織基材に化粧品組成物が含浸されている、請求項1に記載の化粧品容器。
【請求項３】
不織基材が、ポリエチレン(PE)、ポリプロピレン(PP)、ポリエチレンテレフタレート(PET)、ポリブチレン-1(PB-1)、及びこれらの混合物からなる群から選択される1種以上の繊維を含む、請求項1に記載の化粧品容器。
【請求項４】
不織基材の密度が、約0.015g/cm3から約0.06g/cm3である、請求項1に記載の化粧品容器。
【請求項５】
不織基材が、約3から約30の平均dtexを有する繊維を含む、請求項1に記載の化粧品容器。
【請求項６】
化粧品組成物が油中水(W/O)型又は水中油(O/W)型である、請求項2に記載の化粧品容器。
【請求項７】
化粧品組成物が、メークアッププライマー、メークアップベース、ファンデーション、パウダー、ツインケーキ、リップスティック、リップグロス、アイシャドウ、アイブロウ、コンシーラー又は頬紅である、請求項2に記載の化粧品容器。
【請求項８】
前記基材に、少なくとも1種の有機サンスクリーン剤を含む少なくとも1種の化粧品組成物が含浸されている、請求項1に記載の化粧品容器。
【請求項９】
前記不織基材に、化粧品組成物が含浸されている、請求項8に記載の化粧品容器。
【請求項１０】
不織基材が、ポリエチレン(PE)、ポリプロピレン(PP)、ポリエチレンテレフタレート(PET)、ポリブチレン-1(PB-1)、及びこれらの混合物からなる群から選択される1種以上の繊維を含む、請求項8に記載の化粧品容器。
【請求項１１】
不織基材の密度が約0.015g/cm3から約0.06g/cm3である、請求項8に記載の化粧品容器。
【請求項１２】
不織基材が約3から約30の平均dtexを有する繊維を含む、請求項8に記載の化粧品容器。
【請求項１３】
化粧品組成物が油中水(W/O)型又は水中油(O/W)型である、請求項8に記載の化粧品容器。
【請求項１４】
化粧品組成物が、メークアッププライマー、メークアップベース、ファンデーション、パウダー、ツインケーキ、リップスティック、リップグロス、アイシャドウ、アイブロウ、コンシーラー又は頬紅である、請求項8に記載の化粧品容器。
【請求項１５】
前記サンスクリーン剤が、アボベンゾン、オクチサレート、オクトクリレン、オキシベンゾン、ホモサレート、及びこれらの混合物からなる群から選択される、請求項8に記載の化粧品容器。
【請求項１６】
前記容器が、少なくとも2層の前記不織基材及びアプリケーターを収容し、前記層の少なくとも2層が、平均密度、平均dtex、平均層厚、平均繊維表面エネルギー、平均的な繊維表面処理、繊維材料組成、繊維形態、及びこれらの組み合わせからなる群から選択される少なくとも1つの側面において、互いに異なる、請求項1に記載の化粧品容器。
【請求項１７】
前記基材が、円周リムを有し、前記リムが実質的に液体不透過性の材料によって封止されている、請求項1に記載の化粧品容器。
【請求項１８】
前記基材に化粧品組成物が含浸されている、請求項17に記載の化粧品容器。
【請求項１９】
前記基材が約0.5〜15デニールの繊度を有する繊維を含む、請求項1に記載の化粧品容器。
【国際調査報告】
2020521605.tif 000010
2020521605.tif 000011